(57)【要約】【課題】  コンピュータ等のバックアップ電源に使用されている複数の無停電電源装置に異常発生時、高い信頼性のバックアップ電力供給を可能とする無停電電源設備の実現が望まれているが、負荷を直結した複数の無停電電源装置と待機無停電電源装置を備えたものはない。このような課題を解決するために、複数の無停電電源装置の状態を監視、制御し、安定して負荷に電力を供給する設備を提供する。【解決手段】  異常発生以外の任意の無停電電源装置の判定回路が、次に発生する異常発生に備え、自装置を待機無停電電源装置からの入力をバイパス電源入力側に切り換えるよう切換スイッチに発信する。【選択図】        図１
2006288142.tif 000002
【特許請求の範囲】
【請求項１】
待機無停電電源装置とそれぞれに負荷を直結した複数台の無停電電源装置とを備えた無停電電源設備において、前記無停電電源装置には、前記待機無停電電源装置からの入力と、バイパス電源からの入力とを切り換える切換スイッチと判定回路とを有した入力切換盤が設けられており、
該判定回路は、前記待機無停電電源装置、無停電電源装置および入力切換盤間の状態信号の授受を行っており、異常が発生した場合には予め設定されたパラメータに従って前記入力切換盤の切換スイッチに信号を発信するものであり前記無停電電源装置が正常運転時には、前記待機無停電電源装置が無負荷供電状態で前記無停電電源装置に接続されるように前記切換スイッチが切り換えられており、前記複数の無停電電源装置の内、前記待機無停電電源装置の出力容量とほぼ同等の値の負荷を直結した単機の無停電電源装置に異常が発生した場合、または、負荷の和が前記待機無停電電源装置の出力容量とほぼ同等の値となる複数台の無停電電源装置の内のいずれか１台に異常が発生した場合に、該異常を発生した無停電電源装置は自装置内のバイパススイッチを動作して、前記待機無停電電源装置からの入力を前記負荷に供給するとともに、前記単機の無停電電源装置に異常が発生した場合においては、前記単機以外の前記無停電電源装置の内の任意の１台、または前記複数台の内のいずれか１台に異常が発生した場合においては、前記複数台以外の前記無停電電源装置の内の任意の１台の前記入力切換盤に設けられたそれぞれの前記判定回路は、該任意の１台の無停電電源装置の異常発生に備えて、予め前記バイパス電源から前記負荷に電力供給可能とするように前記切換スイッチに信号を発信して、前記待機無停電電源装置からの入力から前記バイパス電源の入力に切り換えておくことを特徴とする無停電電源設備。
【請求項２】
待機無停電電源装置とそれぞれに負荷を直結した複数台の無停電電源装置とを備えた無停電電源設備において、前記待機無停電電源装置には、前記各負荷に分岐した電力を供給する分岐盤が設けられ、前記無停電電源装置には、前記待機無停電電源装置からの入力と、バイパス電源からの入力とを切り換える切換スイッチとプログラマブルロジックコントローラとを有した入力切換盤が設けられており、
該プログラマブルロジックコントローラは前記待機無停電電源装置、無停電電源装置および入力切換盤間の状態信号の授受を行っており、異常が発生した場合には予め設定されたパラメータに従って前記入力切換盤の切換スイッチに信号を発信するものであり、前記無停電電源装置が正常運転時には、前記待機無停電電源装置が無負荷供電状態で前記無停電電源装置に接続されるように前記切換スイッチが切り換えられており、前記複数の無停電電源装置の内、前記待機無停電電源装置の出力容量とほぼ同等の値の負荷を直結した単機の無停電電源装置に異常が発生した場合、または、負荷の和が前記待機無停電電源装置の出力容量とほぼ同等の値となる複数台の無停電電源装置の内にいずれか１台に異常が発生した場合に、該異常を発生した無停電電源装置は自装置内のバイパススイッチを動作して、前記待機無停電電源装置からの入力を前記負荷に供給するとともに、前記単機の無停電電源装置に異常が発生した場合においては、前記単機以外の前記無停電電源装置の内の任意の１台、または前記複数台の内のいずれか１台に異常が発生した場合においては、前記複数台以外の前記無停電電源装置の内の任意の１台の前記分岐盤に設けられたそれぞれの前記プログラマブルロジックコントローラは、該任意の１台の無停電電源装置の異常発生に備えて、予め前記バイパス電源から前記負荷に電力供給可能とするように前記切換スイッチに信号を発信して、前記待機無停電電源装置からの入力から前記バイパス電源の入力に切り換えておくことを特徴とする無停電電源設備。
【請求項３】
請求項２に記載の無停電電源設備の前記プログラマブルロジックコントローラには模擬試験用信号入力端子が設けられており、前記入力切換盤には前記バイパス電源につながり前記切換スイッチと並列に試験用スイッチが設けられており、次のステップによって前記無停電電源設備の連動動作を確認する試験方法。
ステップ１．入力切換盤を手動切換操作により待機無停電電源装置からの入力をバイパス電源からの入力となるよう切り換える。
ステップ２．プログラマブルロジックコントローラの制御機能をオフにする。
ステップ３．入力切換盤内の試験用スイッチをオンにする。
ステップ４．分岐盤内に設けられている各無停電電源装置へ分岐して電力を供給するための分岐スイッチをオフにする。
ステップ５．模擬試験用信号入力端子に模擬的にパラメータ信号を入力することにより入力切換盤の切換スイッチの連動動作を確認する。
【請求項４】
待機無停電電源装置とそれぞれに負荷を直結した複数台の無停電電源装置とを備えた無停電電源設備において、前記待機無停電電源装置には前記各負荷に電力を分岐して供給する分岐盤が設けられ、前記無停電電源装置には前記分岐盤を介した前記待機無停電電源装置からの入力と、バイパス電源からの入力とを切り換える入力切換盤が設けられており、前記複数の無停電電源装置のいずれか１台に異常が発生した場合に、該異常発生の無停電電源装置は自装置内のバイパススイッチを動作させ、前記待機無停電電源装置からの入力を前記負荷に供給し、前記分岐盤内に設けられた電流検出回路は前記待機無停電電源装置の出力電流を検出することにより、正常状態の他の無停電電源装置に対して前記待機無停電電源装置からの電力を供給できない判断を下し、前記分岐盤内に設けられたシャントトリップ回路に信号を発して、前記分岐盤内の分岐スイッチをオフとし、該分岐スイッチのオフを検知した前記入力切換盤内の停電検出器からの信号で前記入力切換盤内の切換スイッチを動作させて、前記バイパス電源からの電力を前記負荷に供給することを特徴とする無停電電源設備。
【請求項５】
前記分岐盤内に設けられた電流検出回路は前記待機無停電電源装置の出力電流を検出して、前記分岐盤内に設けられたプログラマブルロジックコントローラに信号を発信し、該信号を受信した前記プログラマブルロジックコントローラはシャントトリップ回路に信号を発して、前記分岐盤内の分岐スイッチをオフとし、該分岐スイッチのオフを検知した前記入力切換盤内の停電検出器からの信号で前記入力切換盤内の切換スイッチを動作させて、前記バイパス電源からの電力を前記負荷に供給することを特徴とする請求項４に記載の無停電電源設備。
【請求項６】
前記プログラマブルロジックコントローラは、前記待機無停電電源装置、無停電電源装置および入力切換盤間の状態信号の授受を行っており、前記異常が発生した場合には予め設定されたパラメータに従って前記信号を発信することを特徴とする請求項５に記載の無停電電源設備。
【発明の詳細な説明】
【技術分野】
【０００１】
この発明は無停電電源設備に関するものであり、特に待機無停電電源装置を備え、負荷を直結した複数台の無停電電源装置で構成される無停電電源設備およびその試験方法に係るものである。
【背景技術】
【０００２】
交流入力電源の停電あるいは瞬時電圧低下などの電源障害時に、装置の不要動作、誤動作あるいはシステムダウンを生じてしまうコンピュータなどの重要負荷機器への電源として、蓄電池などのエネルギ蓄積体を有する交流無停電電源装置（ＵＰＳ）が、安定な交流電源を供給する目的で広く使われるようになっている。特に近年のインタネットデータセンタをはじめとしたシステムの大規模化、分散化あるいは将来化を見越した設備の増設等を考慮し、単機無停電電源装置を複数台使用していずれの無停電電源装置に異常が発生した場合においても、高い信頼性を有するバックアップの電力供給を可能とする待機冗長無停電電源装置を備えた無停電電源設備の実現が望まれている。
【０００３】
このような複数の無停電電源装置を相互に連系するシステムにおいて、無停電電源装置相互間の制御信号を不要とした装置として電力変換装置の出力電圧または出力位相を変化させた時の出力電流の変化から並列接続（連系）された並列出力母線のパラメータを推定する手段と、推定されたパラメータに応じて電力変換装置の定格に見合った出力電力分担となるよう電力変換装置の出力電圧、出力位相を最適に制御する手段を電力変換装置の制御部に設けたものが示されている（例えば、特許文献１）。
【０００４】
【特許文献１】特開平０５−０８３８６２号公報
【発明の開示】
【発明が解決しようとする課題】
【０００５】
しかしながら前記特許文献に示されたものは、複数台の無停電電源装置の出力容量増大化または冗長化のため相互に連系した構成における制御を対象としたものが示されており、独立の負荷、つまり直結された負荷に電力を供給する無停電電源装置の制御に適用できるものではない。
【０００６】
この発明は前記のような課題を解決するためになされたものであって、待機無停電電源装置と複数の無停電電源装置を備えた無停電電源設備において、無停電電源装置に異常が発生しても、待機無停電電源装置と複数の無停電電源装置相互間の状態を監視し、無停電電源装置の運用を最適に制御して、安定した無停電電源装置によって負荷に電力供給する無停電電源設備を提供することを目的とする。
【課題を解決するための手段】
【０００７】
この発明に係る無停電電源設備は、待機無停電電源装置とそれぞれに負荷を直結した複数台の無停電電源装置とを備え、無停電電源装置には、待機無停電電源装置からの入力と、バイパス電源からの入力とを切り換える切換スイッチと判定回路を有した入力切換盤が設けられており、判定回路は、待機無停電電源装置、無停電電源装置および入力切換盤間の状態信号の授受を行っており、異常が発生した場合には予め設定されたパラメータに従って前記入力切換盤の切換スイッチに信号を発信するものであり無停電電源装置が正常運転時には、待機無停電電源装置が無負荷供電状態で無停電電源装置に接続されるように切換スイッチが切り換えられており、複数の無停電電源装置の内、待機無停電電源装置の出力容量とほぼ同等の値の負荷を直結した単機の無停電電源装置に異常が発生した場合、または、負荷の和が待機無停電電源装置の出力容量とほぼ同等の値となる複数台の無停電電源装置の内にいずれか１台に異常が発生した場合に、該異常を発生した無停電電源装置は自装置内のバイパススイッチを動作して、待機無停電電源装置からの入力を負荷に供給するとともに、単機の無停電電源装置に異常が発生した場合においては、単機以外の無停電電源装置の内の任意の１台、または複数台の内のいずれか１台に異常が発生した場合においては、複数台以外の無停電電源装置に内の任意の１台の入力切換盤に設けられたそれぞれの判定回路は、該任意の１台の無停電電源装置の異常発生に備えて、予めバイパス電源から負荷に電力供給可能とするように切換スイッチに信号を発信して、待機無停電電源装置からの入力からバイパス電源の入力に切り換えておくものである。
【発明の効果】
【０００８】
この発明の無停電電源設備は、複数の無停電電源装置の内、待機無停電電源装置の出力容量とほぼ同等の値の負荷を直結した単機の無停電電源装置に異常が発生した場合、または、負荷の和が待機無停電電源装置の出力容量とほぼ同等の値となる複数台の無停電電源装置の内にいずれか１台に異常が発生した場合に、該異常を発生した無停電電源装置は自装置内のスイッチを動作して、待機無停電電源装置からの入力を負荷に供給するとともに、単機の無停電電源装置に異常が発生した場合においては、単機以外の前記無停電電源装置の内の任意の１台、または複数台の内のいずれか１台に異常が発生した場合においては、複数台以外の無停電電源装置に内の任意の１台の入力切換盤に設けられたそれぞれの判定回路は、該任意の１台の無停電電源装置の異常発生に備えて、予めバイパス電源から負荷に電力供給可能とするように切換スイッチに信号を発信して、待機無停電電源装置からの入力から前記バイパス電源の入力に切り換えておくので、異常が発生した先の無停電電源装置に引き続いて、他の後の無停電電源装置に異常が発生した場合においても、後者の無停電電源装置に異常発生前に、後者の待機無停電電源装置からの入力をバイパス電源４００の入力に切り換える状態をとっているので、待機無停電電源装置は前後者の無停電電源装置異常発生に伴う過負荷による電力供給停止を防ぐことができ、そのような状態においても前記待機無停電電源による安定した電力を負荷に供給可能とする効果がある。
【発明を実施するための最良の形態】
【０００９】
実施の形態１．
以下、この発明の実施の形態１を図に基づいて説明する。
図１はこの実施の形態１による無停電電源設備を示すブロック図である。図１では、待機無停電電源装置（以下、待機ＵＰＳと称す）１０１と複数の無停電電源装置（ＵＰＳ）として第１の無停電電源装置（ＵＰＳ１）１０２、第２の無停電電源装置（ＵＰＳ２）１０３が示されている。
この待機ＵＰＳ１０１，ＵＰＳ１１０２，ＵＰＳ２１０３の内部構成は全く同一であり、その設備容量も同等であるとする。図１に示した各要素の機能および正常状態での動作を以下に述べる。
【００１０】
各ＵＰＳ１０１，１０２，１０３の主回路は公知のものである。コンバータ１１で交流入力電源を直流電力に変換し、インバータ１２で再び交流電力に変換し、出力スイッチ１３および前記第１，第２のＵＰＳ１０２，ＵＰＳ１０３にそれぞれ直結された負荷２０２，２０３に分岐してＵＰＳ電力を供給するよう設けられた分岐盤３０１を通して安定したＵＰＳ電力をＵＰＳ１０２，ＵＰＳ１０３に出力する。蓄電池１４は蓄電媒体の一例である。各ＵＰＳ１０１，１０２，１０３は内部のインバータ１１、コンバータ１２、蓄電池１４などの構成要素の異常時にでも交流電力を出力可能なように、バイパス回路１５を有する。また、バイパススイッチ１６はバイパス回路の構成要素である。また、入力スイッチ１７が設けられている。単機ＵＰＳの運転方式は通常、インバータ１１の出力とバイパス回路１５において商用同期常時インバータ給電かつ無瞬断切換え方式を採用している。各ＵＰＳ１０２，１０３の負荷を２０２、２０３に示す。待機ＵＰＳ１０１の出力を第１，第２のＵＰＳ１０２、１０３に配電する前記分岐盤３０１には、内蔵される分岐スイッチ３１１を通して電力を供給する。
【００１１】
各負荷２０２、２０３への電力供給は、正常時においてはそれぞれ第１，第２のＵＰＳ１０２、１０３のインバータ１２の出力である。一方、待機ＵＰＳ１０１のインバータ１２の出力は分岐盤３０１を経由して、後述する入力切換盤４２内の切換スイッチ４１を介して第１，第２のＵＰＳ１０２、１０３のバイパス回路１５に電源供給している。ただし、ＵＰＳ１０２、１０３は各々インバータ１２の出力で電源供給しているため、バイパス回路１５には電圧は印加されているが、無負荷給電状態となっている。すなわち、待機ＵＰＳ１０１は第１，第２のＵＰＳ１０２、１０３の正常運転状態において、無負荷状態で前記ＵＰＳ１０２，１０３に対して直列に冗長を構成している。このことを待機冗長運転システム（または、共通予備方式）と呼ぶことは公知である。
【００１２】
待機冗長運転システムでは、例えば、第１のＵＰＳ１０２の内部異常時でも、自装置内のバイパススイッチ１６が無瞬断でバイパス回路１５に切換えを行なうことで、負荷２０２への電力供給は待機ＵＰＳ１０１のインバータ１２の出力がバックアップするために、待機ＵＰＳ１０１による安定した電力供給が途切れることはない。また、第２のＵＰＳ１０３の異常時においても同様に、待機ＵＰＳ１０１のインバータ１２の出力が負荷２０３へ安定した電力を供給する。
【００１３】
前記第１，第２のＵＰＳ１０２，ＵＰＳ１０３にはそれぞれ入力切換盤４０２が設けられ、切換スイッチ４１，停電検出器４２，判定回路４３が内蔵されている。各ＵＰＳ１０１〜１０３および各入力切換盤４０２間は通信ケーブル５によってその状態信号の授受が行われる。
切換スイッチ４１は、受信した信号によって切換動作を行うものであり、第１，第２のＵＰＳ１０２，ＵＰＳ１０３の正常運転時には、前記待機ＵＰＳ１０１の出力する電力を前記したように無負荷状態で入力するように切り換えてある。判定回路４３は図２に示すように待機ＵＰＳ１０１の状態、例えばインバータ１１の運転状態や、複数の他のＵＰＳの状態、入力切換盤の状態、後述する停電検出器の状態等の受信信号をあらかじめ設定されたパラメータに従って前記切換スイッチの切り換えの判定を行う。
【００１４】
前述したように、この待機ＵＰＳ１０１，第１のＵＰＳ１０２，第２のＵＰＳ１０３を備えた無停電電源設備の設備容量が同等であるとする。このとき、例えば第１のＵＰＳ１０２の内部に異常が発生した場合について説明する。
第１のＵＰＳ１０２が故障を検出すると、第１のＵＰＳ１０２は、インバータ１２の出力をバイパススイッチ１６に無瞬断で切換える。この時、第１のＵＰＳ１０２のバイパス回路１５には、入力切換盤４０２および分岐盤３０１を通して、待機ＵＰＳ１０１のインバータ１２の出力が供給されるため、第１のＵＰＳ１０２の故障時においても、負荷２０２には待機ＵＰＳ１０１からの安定した電源供給が継続される。
【００１５】
ここで、待機ＵＰＳ１０１と第１のＵＰＳ１０２の設備容量は同容量であるために、第１のＵＰＳ１０２の故障に引き続いて第２のＵＰＳ１０３に異常が発生した場合には、待機ＵＰＳ１０１は第１，第２のＵＰＳ１０２，１０３、２台分の設備容量を自己のインバータ１２による出力で供給することはできない。
【００１６】
一方、複数のＵＰＳの設備容量の総和が、待機ＵＰＳ１０１の設備容量以下であれば、前述したような状況は発生せず、待機ＵＰＳ１０１のインバータは複数のＵＰＳに対して安定した電力を供給する。
【００１７】
そこで、この実施の形態１では、待機ＵＰＳ１０１と単機ＵＰＳ１０２の設備容量が同等の単機ＵＰＳ１０２に異常が発生した場合か、もしくは待機ＵＰＳ１０１と複数台のＵＰＳの設備容量の総和が同等の場合であって複数台のＵＰＳのいずれか１台に異常が発生した場合に、引き続いて、他の正常なＵＰＳに異常が発生した時にでも待機ＵＰＳ１０１によってバックアップを行っている前の異常ＵＰＳ（単機ＵＰＳ１０２，もしくは複数のＵＰＳのいずれか１台）に対しても、インバータ１１の過負荷による供給停止を防ぐため、以下の構成を採用し、動作させる。
【００１８】
説明の都合上、待機ＵＰＳ１０１と第１，第２のＵＰＳ１０２，１０３の設備容量が同等の場合のみについて述べる。
前述したように第１のＵＰＳ１０２に異常が発生した場合、この異常発生信号は該判定回路４３から複数のＵＰＳの入力切換盤４０３内の判定回路４３に発信される。前記異常発生以外の複数台のＵＰＳの内の任意の１台の判定回路４３は、予め設定されたパラメータに基づき、前記異常発生状態信号を受信し、選択制御を行って自己の入力切換盤４０３内の切換スイッチ４１に待機ＵＰＳ１０１からの入力を受電する状態から、バイパス電源４００を入力する状態に切り換えるよう信号を発信する。
【００１９】
このように、先に異常が発生したＵＰＳに引き続き、他のＵＰＳに異常が発生した場合の負荷への安定供給を継続して行うよう、前記先の異常発生時に、任意のＵＰＳにバイパス電源４００から供電されるように予め設定されたパラメータに従って自動的に切換スイッチを選択切り換えているので、引き続く異常発生時にも、先の異常発生のＵＰＳ１０２に対して安定な電力を途切れることなく自動的に供給できる。なお図１に示した待機ＵＰＳ１０１にバイパス電源４００を設けた例を示したが、必ずしも必要とするものではない。
【００２０】
実施の形態２．
前記実施の形態１では、判定回路４３が各々の入力切換盤４０２に独立して配置されたが、前記判定回路４３は一箇所に集約し、集中制御を行なっても良い。以下、この実施の形態２を図３を参照して説明する。
図３において、図１と同一番号を付した構成要素は、同ー機能のものであり、その説明は省略するが、図３は、分岐盤３０１に汎用のプログラマブルロジックコントローラ（ＰＬＣ）３２１を内蔵し、このＰＬＣ３２１にあらかじめ例えば前記図２の判定条件を設定している。増設される第３のＵＰＳ１０４には入力切換盤４０２も備える。
【００２１】
実施の形態１の構成では、入力切換盤４０２の切換え選択は、あらかじめ想定された台数のＵＰＳに対して設定されたパラメータによって決定されているが、この実施の形態２に示す図３の構成では、予定されていなかったＵＰＳ１０４設備の増設においてもパラメータおよび判定条件の変更が前記ＰＬＣ３２１によって容易に可能である。
このようにこの実施の形態２によれば、将来的に全く計画されていなかったＵＰＳ設備の増設に対してもフレキシブルに対応可能であり、判定条件の変更においても、制御ソフトウェアの変更のみで良いため、判定回路内のハードウェア的な変更および追加が不要であり、経済的なメリットがある。
【００２２】
実施の形態３．
実施の形態２では、ＵＰＳ設備の増設に伴い制御ソフトウェアの変更が必要になる。そのため、増設工事後のシステムの連動確認試験は、無停電電源設備システム全体を停止した状態で行なう必要がある。
この実施の形態３では、既設のＵＰＳは運転を継続した状態でシステムの連動確認試験が実施可能な構成を、図４を参照して説明する。
図４において、入力切換盤４０２に、連動確認試験時に用いる試験スイッチ４４を内蔵している。また、ＰＬＣ３２１は、模擬試験用信号入力端子３２２を有している。
【００２３】
ＵＰＳ設備のハードウェアの増設工事後、各ＵＰＳ１０２〜１０４は、各々の入力切換盤４０２の手動切換え操作により、強制的に待機ＵＰＳ１０１からの入力をバイパス電源側に切換え、単独での単機バイパス切換え運転方式を構成する。
この状態において、ＰＬＣ３２１の制御機能をオフにする。また、各入力切換盤４０２の試験スイッチ４４をオンにし、更に、分岐盤３０１の分岐スイッチ３１１を全てオフにする。
【００２４】
この段階において、ＰＬＣ３２１の模擬試験用信号入力端子３２２に模擬的にパラメータ信号を入力することで、各入力切換盤４０２の切換スイッチ４１の連動動作を確認することが可能となる。
以上の説明のように、この実施の形態３によれば、ＵＰＳの運転を停止することなく、増設後の無停電電源設備のシステム的な連動確認が実施でき、増設工事後においてもシステム全体の信頼性を検証できる。
【００２５】
実施の形態４．
前記実施の形態３では、汎用のＰＬＣ３２１を１台使用している例を示したが、本実施の形態４では、さらに制御回路の高信頼化を図った構成を、図５を参照して説明する。
図５において、汎用のＰＬＣ３２１を２台使用して、その内の１台をバックアップＰＬＣとした制御回路の二重化を構成している。また、信号中継端子３２３は、通信ケーブル５の入力を２台のＰＬＣ３２１に分配するためのものである。
この構成では、１台のＰＬＣ３２１の異常時においても、残りの１台のＰＬＣ３２１がシステムの制御を継続することが可能である。
以上の説明のように、この実施の形態４によれば、汎用のＰＬＣを使用しても高信頼性のシステムを構築することができる。また、信号中継端子を設置することで、ＰＬＣ２台分の通信ケーブルを敷設する必要がなく１台分で対応可能なため、安価なシステムを提供できる。
【００２６】
実施の形態５．
前記実施の形態１〜４では、各装置間で通信ケーブル５を用いた信号の授受によりシステム運用を自動的に行なった例であるが、近年、無停電電源設備が選択される傾向の一つに、本方式の特徴であるＵＰＳ設備の分散設置が可能というメリットを考慮して採用するケースが多くなっている。この実施の形態５では、ＵＰＳ設備を分散設置する場合に生じる通信ケーブルの敷設を少なくするものである。
以下、この発明の実施の形態５を図６を参照して説明する。なお、待機ＵＰＳ１０１と第１，第２のＵＰＳ１０２，１０３は同容量の場合について説明する。
図６において入力切換盤４０２には、電流検出回路（ＣＴ）３３１および分岐スイッチのシャントトリップ回路３３２を分岐盤３０１内に設けている。入力切換盤４０２内の停電検出器４２は前記ＣＴ３３１の信号を受信して動作した時に切換スイッチ４１がバイパス電源側に切換えるための回路４５を有している。
【００２７】
このような構成において、例えば、第１のＵＰＳ１０２に異常が発生し、そのバックアップ電源として待機ＵＰＳ１０１からのインバータ出力が供給される場合、分岐盤３０１に内蔵された電流検出回路（ＣＴ）３３１は、自己の分岐フィーダに電流が流れたことでＵＰＳ１０２の異常を認識し、待機ＵＰＳ１０１と第２のＵＰＳ１０３が同容量のため、第２のＵＰＳ１０３が引き続き異常が発生した場合に、待機ＵＰＳ１０１がＵＰＳ１０３に対するＵＰＳ電源を供給できないことを判断する。
【００２８】
この状況において、電流検出回路（ＣＴ）３３１は、第２のＵＰＳ１０３の分岐フィーダにシャントトリップ信号を与え、強制的に待機ＵＰＳ１０１から第２のＵＰＳ１０３への電源供給を断つ。また、入力分岐盤４０３の停電検出器４２は、前記電源電圧の断を検知し、切換信号４５を切換スイッチ４１に送信する。この信号を受信した切換スイッチ４１はバイパス電源４００からの電力を入力するよう切り換え動作する。
このように故障したＵＰＳ１０２は待機ＵＰＳ１０１からのバックアップ給電を確立し、また、引き続き異常を発生するとしたＵＰＳ１０３も自動的に、単機バイパス切換運転方式を確立することが可能であり、各装置間で通信ケーブルによる信号の授受を行なうことなく、ケーブルレスでの無停電電源設備の構築可能であり、省配緑化および配線工事レスにより経済的なメリットがある。
【００２９】
実施の形態６．
図６に示した実施の形態５の例では、ＵＰＳ１台の故障時には、分岐盤３０１はその他のＵＰＳの分岐フィーダを遮断する構成になっており、必然的に、待機ＵＰＳ１０１は１台のＵＰＳのみをバックアップするようになっていた。実施の形態６では、待機ＵＰＳ１０１が複数台のＵＰＳをバックアップするとともに、各ＵＰＳの設備容量が異なっている場合にでも、最適に制御可能なＰＬＣ３２１を設けたものである。
【００３０】
以下、本発明の実施の形態６を図７を参照して説明する。
図７において、分岐盤３０１にＰＬＣ３２１が設けられている。
この構成では、電流検出回路（ＣＴ）３３１の検出信号をＰＬＣ３２１に一旦取り込んで、あらかじめ設定された条件により、遮断する分岐スイッチ３１１を選択する。
この構成によれば、ＰＬＣ３２１を設けることで、省配線化および配線工事レスによる経済的なメリットに加え、システム運用のフレキシブル化が可能となるとともに、ＰＬＣ３２１は、図４の構成例のように、模擬試験用信号入力端子３２２や短絡スイッチ４４、または、図５の構成例のように、ＰＬＣの二重化を実施した構成であっても良い。
【産業上の利用可能性】
【００３１】
この発明の実施の形態１〜６は、停電によって大きな影響を受けるコンピュータ設備等のバックアップ電源を供給する複数の無停電電源装置を備えた無停電電源設備に適用できる。
【図面の簡単な説明】
【００３２】
【図１】この発明の実施の形態１の無停電電源設備を示すブロック図である。
【図２】この発明の実施の形態１の判定回路を示す図である。
【図３】この発明の実施の形態２の無停電電源設備を示すブロック図である。
【図４】この発明の実施の形態３の無停電電源設備を示すブロック図である。
【図５】この発明の実施の形態４の無停電電源設備を示すブロック図である。
【図６】この発明の実施の形態５の無停電電源設備を示すブロック図である。
【図７】この発明の実施の形態６の無停電電源設備を示すブロック図である。
【符号の説明】
【００３３】
５  通信ケーブル、１６  スイッチ、４１  切換スイッチ、４３  判定回路、
４４  試験用スイッチ、１０１  待機ＵＰＳ、１０２〜１０４  第１〜第３のＵＰＳ、
２０２〜２０４  負荷、３０１  分岐盤、３１１  分岐スイッチ、３２１  ＰＬＣ、
３２２  模擬試験用信号入力端子、３３２  シャントトリップ回路、
４００  バイパス電源、４０２  入力切換盤。
【図１】
2006288142.tif 000003
【図２】
2006288142.tif 000004
【図３】
2006288142.tif 000005
【図４】
2006288142.tif 000006
【図５】
2006288142.tif 000007
【図６】
2006288142.tif 000008
【図７】
2006288142.tif 000009